(57)【要約】      （修正有）【課題】文字や図形を表示した潜像を確実に発現することができる複写防止模様を有する印刷物を提供する。【解決手段】基紙１の表面に微細構成素子印刷部２よりなる文字や図形を表示した潜像３を印刷した複写防止模様を有する印刷物において、微細構成素子印刷部２が正方形の形態をとり、かつ角部を切り欠く形状をなす。また、微細構成素子印刷部２は、４５度の面取りにより角部を切り欠いた面取り部６と、隣り合う面取り部６，６との間を連結する直線部７と、面取り部６と直線部７との間に設けた鈍角部８とを備える。【選択図】図１
0003177357.tif 000002
【実用新案登録請求の範囲】
【請求項１】
基紙表面に微細構成素子印刷部よりなる文字や図形を表示した潜像を印刷した複写防止模様を有する印刷物において、前記微細構成素子印刷部が正方形の形態をとり、かつ角部を切り欠いた形状であることを特徴とする複写防止模様を有する印刷物。
【請求項２】
四つの角部を切り欠いた形状であることを特徴とする請求項１記載の複写防止模様を有する印刷物。
【請求項３】
４５度の面取りにより前記角部を切り欠いた面取り部と、隣り合う面取り部との間を連結する直線部と、前記面取り部と前記直線部との間に設けた鈍角部とを備えることを特徴とする請求項１又は２記載の複写防止模様を有する印刷物。
【請求項４】
前記微細構成素子印刷部の外接円の直径が０．１８〜０．２２ｍｍであり、隣り合う前記微細構成素子印刷部の中心の間隔が０．３０〜０．４５ｍｍであることを特徴とする請求項３記載の複写防止模様を有する印刷物。
【請求項５】
前記面取り部の長さが０．０１〜０．０３ｍｍであることを特徴とする請求項４記載の複写防止模様を有する印刷物。
【請求項６】
前記潜像以外の余白部に前記潜像より密の網点印刷部を形成したことを特徴とする請求項１〜５のいずれか１項に記載の複写防止模様を有する印刷物。
【考案の詳細な説明】
【技術分野】
【０００１】
本考案は、偽造、変造防止を必要とする印刷物において、複写機によりコピーした場合に、潜像による模様を発現させる複写防止模様を有する印刷物に関するものである。
【背景技術】
【０００２】
住民票や証書、処方箋などには、原本の用紙を複写機でコピーすることで、「複写」「無効」「複製」など、原本の状態では肉眼で視認困難だった潜像（警戒文字）が複写物の側に発現し、偽造を抑止する複写防止技術が施されている場合が多々ある。
【０００３】
一般的に印刷物は網点と呼ばれる肉眼では認識困難な微小な点の集合で構成されており、各点の直径を増減することなどで絵柄の濃淡などを再現している。そして、前記網点の直径や間隔を制御することで上記の偽造防止効果を奏することが可能となる。
【０００４】
具体的には、一般的な複写機の入出力解像度でコピーすることが可能な程度の直径を有する網点を潜像に用い、潜像以外には複写機による再現が困難な直径を有する網点を用いた印刷データを用いている。尚、前記再現が困難な網点は、複写機の入出力解像度が不足したり、複写機が有するガンマ特性の補正などにより色が飛ばされたりするものである。
【０００５】
しかし、このままでは潜像とそれ以外との網点径の差が大きいため、潜像が濃く印刷されることから、原本の状態で既に潜像が明確に見えてしまう欠点がある。
【０００６】
そこで、潜像を構成する網点同士の間隔を広げることで見た目の濃さを低減させて、潜像以外との部分との判断が困難なように調整することにより、複写防止効果を有する印刷物を得ることができる（例えば、特許文献１）。尚、この原本の状態で潜像が見え難くなる特性を、以下「カモフラージュ効果」と称する。
【０００７】
上記特許文献１の複写防止技術では、潜像以外もある程度の印刷濃度を必要とすることから、コピーした際の潜像の発現性が最近の複写機においては劣る傾向にあり、複写物上で、潜像以外の部分も若干色味がかってしまい、明瞭に潜像が発現されない問題がある。
【０００８】
このような問題を解決するものとして、基紙表面に微細構成素子印刷部よりなる文字を表示した潜像を印刷した複写防止模様を有する印刷物において、前記微細構成素子印刷部を全体平面が丸型の丸型本体部に切り欠き部を形成した複写防止模様を有する印刷物（例えば特許文献２）が提案されている。
【先行技術文献】
【特許文献】
【０００９】
【特許文献１】特開昭５４−７４１２５号公報
【特許文献２】実用新案登録第３１１３３０９号公報
【考案の開示】
【考案が解決しようとする課題】
【００１０】
上記特許文献２では、複写機で再現できる基準網点の範囲において、網点に特殊な切り込みを入れることにより、網点一点一点の面積率を抑えて潜像の濃度を下げ、これに潜像以外の網点の直径も一層下げることができるため、カモフラージュ効果を維持することができると共に、コピーすると潜像以外の部分の色がよく消えて、例えば「複写」とはっきり発現することができる。
【００１１】
そして、複写機には、複写物の文字や線が僅かに太くなる特性があり、特許文献１では、図８（Ａ）に示す丸型の微細構成素子印刷部100では、複写後に、図８（Ｂ）のように太り、また、特許文献２では、図９（Ａ）に示すように、微細構成素子印刷部100に切り欠き部101を設けることで、図９（Ｂ）に示すように、コピー後に、特許文献１の丸型の網点よりも全体的に太り量を大きくすることができるため、潜像の濃度をより鮮明に「複写」として発現することができる。
【００１２】
ところで、上述したように複写機には複写物の文字の太りを僅かに大きくなる特性があるのに対して、印刷機、例えばオフセット印刷機も、インキが用紙に転写される際にインキが用紙に浸透することにより印刷物の網点が指定した網点よりも大きくなるドットゲインと呼ばれる類似の特性を若干有しており、印刷濃度を少しでも高くすると、図９（Ｂ）と同様に、前記切り欠き部101の太りによって切り欠き部101が埋まってしまう。
【００１３】
このことから潜像の網点部分の濃度が、それ以外の部分の濃度よりも大きく上昇し、これがカモフラージュ効果を損ねる要因となることを、複写防止模様を有する印刷物の開発を通じて発明者らは初めて知見した。そして、オフセット印刷中には諸々の要因によって印刷濃度は常に僅かながら変動することから、カモフラージュ効果を確保しながら作業するためには高度なオペレーションスキルが要求される。
【００１４】
上記の対策として、印刷濃度を下げて切り欠き部101の太りを抑えることができるが、そうすると他の文字や写真の絵柄部分の印刷濃度を下げざるを得なくなり、需要者が要求する印刷濃度を出すことができなくなる。また、全体の濃度が下がり、薄くなる分、今度はコピーをしても潜像が濃く発現せず、複写防止効果が低下する問題がある。
【００１５】
そこで、本考案は、上記問題点を解決するものであり、微細構成素子印刷部よりなる文字や図形を表示した潜像を確実に形成することができる複写防止模様を有する印刷物を提供することを目的とする。
【課題を解決するための手段】
【００１６】
請求項１の考案は、基紙表面に微細構成素子印刷部よりなる文字や図形を表示した潜像を印刷した複写防止模様を有する印刷物において、前記微細構成素子印刷部が正方形の形態をとり、かつ角部を切り欠いた形状であることを特徴とする。
【００１７】
請求項１の構成によれば、コピー時の潜像の発現性を確保できる微細構成素子の外径を確保しながら、従来よりも面積と周囲長を減らすことが可能となるため、高濃度でかつ潜像以外の網点の面積率も小さくすることが可能となり、複写時の潜像の発現性の向上、及び原本上での文字や絵柄などの視認性が向上し、需要者が要求する印刷濃度の印刷物を供給できる。
【００１８】
請求項２の考案は、四つの角部を切り欠いたことを特徴とする。
【００１９】
請求項２の構成によれば、コピー時の潜像の発現性を確保できる外径を確保しながら、より一層、従来よりも面積と周囲長を減らすことが可能となる。
【００２０】
請求項３の考案は、４５度の面取りにより前記角部を切り欠いた面取り部と、隣り合う面取り部との間を連結する直線部と、前記面取り部と前記直線部との間に設けた鈍角部とを備えることを特徴とする。
【００２１】
請求項３の構成によれば、角部が鈍角で、円形に比べて周長が短いため、オフセット印刷などにおいて印刷時のドットゲイン変化が少なくなり、印刷時の濃度変化を大幅に抑制することで、高度なオペレーションスキルが不要となる。
【００２２】
請求項４の考案は、前記微細構成素子印刷部の外接円の直径が０．１８〜０．２２ｍｍであり、隣り合う前記微細構成素子印刷部の中心の間隔が０．３０〜０．４５ｍｍであることを特徴とする。
【００２３】
請求項４の構成によれば、前記微細構成素子印刷部の外接円の直径を０．１８〜０．２２ｍｍとし、隣り合う前記微細構成素子印刷部の中心の間隔を０．３０〜０．４５ｍｍとすることで、コピー時の潜像の発現とカモフラージュ効果を確実に高め、かつ両立させることができる。
【００２４】
請求項５の考案は、前記面取り部の長さが０．０１〜０．０３ｍｍであることを特徴とする。
【００２５】
請求項５の構成によれば、通常のＣＴＰ刷版（出力解像度２４００ｄｐｉ）においても前記微細構成素子印刷部の角部を切り欠いた形状の再現性を確保しつつ、コピー時の潜像の発現性を確保できる外径を確保することができる。
【００２６】
請求項６の考案は、前記潜像以外の余白部に前記潜像より密の網点印刷部を形成したことを特徴とする。
【００２７】
請求項６の構成によれば、微細構成素子印刷部を網点印刷部により一層カモフラージュすることができる。
【考案の効果】
【００２８】
本考案では、オフセット印刷などにおいて高度なオペレーションスキルが不要で、コピー時の潜像の発現、カモフラージュ効果を高めることができる複写防止模様を有する印刷物を提供することができる。
【図面の簡単な説明】
【００２９】
【図１】本考案の実施例１を示す平面図である。
【図２】本考案の実施例１を示す断面図である。
【図３】本考案の実施例１を示す一部を拡大した潜像の拡大平面図である。
【図４】本考案の実施例１を示す複写紙の平面図である。
【図５】本考案の実施例２を示す平面図である。
【図６】本考案の実施例２を示す断面図である。
【図７】本考案の実施例２を示す複写紙の平面図である。
【図８】従来例を示す平面図であり、図８（Ａ）は印刷物、図８（Ｂ）は複写物を示す。
【図９】他の従来例を示す平面図であり、図９（Ａ）は印刷物、図９（Ｂ）は複写物を示す。
【考案を実施するための形態】
【００３０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００３１】
図１〜図４は実施例１を示しており、基紙１の白色系表面に微細構成素子印刷部２よりなる「ＣＯＰＹ  複写」という内容の潜像３を黒色系インキを用いて印刷しており、該潜像３以外の余白部４に前記潜像３より密の網点印刷部５が黒色系インキを用いて形成されている。そして、基紙１の表面を白色系とし前記微細構成素子印刷部２を、ＣＩＥ Ｌ*ａ*ｂ*（エルスター、エースター、ビースター）色度図において、明るさ（Ｌｉｇｈｔｎｅｓｓ）値が５０以下としている。尚、ＣＩＥ Ｌ*ａ*ｂ*（表面系）色度図は、現在塗装や染色業界など表面色の管理に最も便利よく扱われ、ＪＩＳにも制定されている。
【００３２】
前記微細構成素子印刷部２は、全体平面形状が略正方形をなし、正方形の４つの角部に４５度の面取り部６を設け、隣り合う面取り部６，６を直線部７により連結し、それら面取り部６と直線部７とに間に鈍角部８を設けてなり、点対象な形状を有する。そして、前記面取り部６は直線状に形成され、前記鈍角部８は略１３５度である。
【００３３】
図３に示すように、前記微細構成素子印刷部２の外接円の直径φは、０．１８〜０．２２ｍｍであり、隣り合う前記微細構成素子印刷部の中心の間隔Ｌは、０．３０〜０．４５ｍｍ、面取り部６の寸法Ｌ６は０．０１〜０．０３ｍｍである。尚、外接円は８つの鈍角部８を通る円である。
【００３４】
また、前記微細構成素子印刷部２は、一方向である斜め４５度の向きに並んで等間隔に配置されると共に、前記一方向と交差方向の斜め４５度の向きに並んで等間隔に配置され、隣り合う前記微細構成素子印刷部２，２の直線部７，７が平行状態で対向するように配置されており、並んで隣り合う前記微細構成素子印刷部２の中心９の間隔Ｌは０.４５ｍｍである。尚、微細構成素子印刷部２は、面取り部６，６，６，６を上下左右に配置して並設されている。
【００３５】
さらに、前記潜像３以外の余白部４に前記潜像３より密、すなわち直径ｄを直径φよりも小さく形成した（ｄ＜φ）前記網点印刷部５を形成している。この網点印刷部５は平網等と称せられており、略円形をなし、面積率を５〜８％程度としている。具体的には、１インチ幅に１７５個の網点印刷部５を配置すると共に、網点印刷部５の面積率を５〜８％程度とし、前記微細構成素子印刷部２の並びと同様に、一方向と他方向に等間隔で配置されている。
【００３６】
次に、本実施例の微細構成素子印刷部２と、特許文献１及び特許文献２の微細構成素子印刷部との対比を下記の表１に示す。尚、特許文献１は、微細構成素子印刷部100の直径Ｄが０．１８ｍｍのものを示し、面積は、πｒ2で、３．１４１５×０．０９×０．０９で、２．５４５×１０-2ｍｍ2となる。また、特許文献２は、微細構成素子印刷部100の直径Ｄが０．１８ｍｍで、切り欠き部101の角度が４０〜８０度のものを示す。また、本実施例では、微細構成素子印刷部２は、外接円の直径φが０．１８ｍｍで、面取り部６の寸法Ｌ６が０．０１ｍｍのものを示す。
【００３７】
【表１】
0003177357.tif 000003
【００３８】
上記表１に示すように、本実施例の微細構成素子印刷部２は他に比べて、外接円の直径φをほぼ同じにしても、周長を短くすることができることが分かる。
【００３９】
次に前記構成についてその作用を説明する。潜像３等が形成された基紙１の表面に文字や数字など金額等各種情報の印刷部12が形成されている。実施例では印刷部12として「い」を表示している。そして、複写機（図示せず）によりコピーした場合に、図４に示すように印刷部12がコピーされると共に、「ＣＯＰＹ  複写」という潜像３が複写紙13上に発現する。この発現は微細構成素子印刷部２が基準直径を確保しているのに対して余白部４においては、潜像３の微細構成素子印刷部２より小さな網点印刷部５を密に形成しているので、複写機の入出力解像度が追い付き難くなり、潜像３の背景部は薄く発現され、もしくは全く発現しない。
【００４０】
一方、文字や数字など金額等各種情報の印刷部12をオフセット印刷などにより印刷する場合、微細構成素子印刷部２は周長が短く、切り欠き部などがないため、印刷時のドットゲイン変化が少なくなり、印刷濃度を上げることができ、高度なオペレーションスキルが不要となる。
【００４１】
さらに、切り欠き部を設けたものに比べて、微細構成素子印刷部２の形状が網点印刷部５の形状に類似しているため、原本の状態で見ても違和感の少ないものとなる。
【００４２】
このように本実施例では、請求項１に対応して、基紙１の表面に微細構成素子印刷部２よりなる文字や図形を表示した潜像３を印刷した複写防止模様を有する印刷物において、微細構成素子印刷部２が正方形の形態をとり、かつ角部を切り欠いた形状であるから、カモフラージュの点で網点印刷部５、すなわち平網との相性がよくなり、コピー時の潜像３の発現性、カモフラージュ効果を高めることができる。
【００４３】
また、このように本実施例では、請求項２に対応して、四つの角部を切り欠いたから、複写機によりコピーされる基準直径を確保して、面積が略同じで、周長を短くできるため、潜像３以外の網点印刷部５の直径を大幅に下げることが可能となり、コピー時の潜像の発現性の向上、及び原本上での文字や絵柄などの視認性が向上し、且つオフセット印刷などにおいて印刷濃度を上げることができる。
【００４４】
また、このように本実施例では、請求項３に対応して、４５度の面取りにより角部を切り欠いた面取り部６と、隣り合う面取り部６，６との間を連結する直線部７と、面取り部６と直線部７との間に設けた鈍角部８とを備えるから、角部が鈍角で、円形に比べて周長が短いため、印刷時のドットゲインが少なくなり、オフセット印刷などにおいて印刷時の濃度変化を大幅に抑制できる。
【００４５】
また、このように本実施例では、請求項４に対応して、微細構成素子印刷部２の外接円の直径φが０．１８〜０．２２ｍｍであり、隣り合う前記微細構成素子印刷部の中心の間隔Ｌが０．３０〜０．４５ｍｍであるから、コピー時の潜像３の発現、カモフラージュ効果を確実に高めることができる。
【００４６】
また、このように本実施例では、請求項５に対応して、前記面取り部の長さが０．０１〜０．０３ｍｍであるから、通常のＣＴＰ刷版（出力解像度２４００ｄｐｉ）においても前記微細構成素子印刷部の角部を切り欠いた形状の再現性を確保しつつ、コピー時の潜像の発現性を確保できる外径を確保することができる。
【００４７】
また、このように本実施例では、請求項６に対応して、潜像３以外の余白部４に潜像３より密の網点印刷部５を形成したから、微細構成素子印刷部２を網点印刷部５により一層カモフラージュすることができる。
【００４８】
また、実施例上の効果として、微細構成素子印刷部２が点対称な形状であり、相互の直線部７，７を対向して微細構成素子印刷部２，２・・・を一方向に間隔を置いて配置すると共に前記一方向と交差する他方向に間隔を置いて配置し、一方向の間隔Ｌと他方向の間隔Ｌが等しいから、切り欠き部101を設けた従来のものでは原本の状態で凝視すると僅かではあるが違和感を感じる虞があるのに対して、点対照な形状を持つ微細構成素子印刷部２を、一方向とこれに交差する他方向で等間隔に配置してなるので、カモフラージュ効果が向上する。
【００４９】
図５〜図７は実施例２を示しており、前記実施例１と同一部分には同一符号を付し、その詳細な説明を省略する。
【００５０】
実施例２においては、基紙１の白色系表面に微細構成素子印刷部２よりなる潜像３を黒色系インキを用いて印刷しており、該潜像３以外の余白部４に前記潜像３より密の網点印刷部５が黒色系インキを用いて形成されている。そして、余白部４には白抜き部14を形成したものである。尚、白抜き部14は潜像３部分にも設けられる。そして、前記白抜き部14は、例えば微細構成素子印刷部２より長いほぼ帯形状のものが、その向き及び配置をランダムにして設けられる。尚、白抜き部14に替えて模様部（図示せず）を設けてもよい。
【００５１】
次に、前記構成についてその作用を説明する。潜像３等が形成された基紙１の表面に文字や数字など金額等各種情報の印刷部12がなされる。先ず、原本の状態では、潜像３及びそれ以外の部分に白抜き部14がランダムに設けられていることにより、潜像３が視認されることをより困難にすることができ、カモフラージュ効果の更なる向上を図ることができる。そして複写機（図示せず）によりコピーした場合に、図７に示すように印刷部12がコピーされると共に、「ＣＯＰＹ  複写」という潜像３が複写紙13上に発現する。
【００５２】
尚、本発明は、本実施例に限定されるものではなく、本発明の要旨の範囲内で種々の変形実施が可能である。例えば、請求項１においては、面取り部を一つ、二つ又は三つ設けてもよく、微細構成素子印刷部２が正方形の少なくも二つの角部を切り欠いた形状とし、二つの面取り部６，６を設け、これら面取り部６，６が対向する角部に位置するようにするなどすれば、平網との相性がよくなる。また、文字や図形は少なくとも一方があればよい。
【産業上の利用可能性】
【００５３】
以上のように本考案にかかる複写防止模様を有する印刷物は種々の用途に適用できる。
【符号の説明】
【００５４】
１  基紙
２  微細構成素子印刷部
３  潜像
４  余白部
５  網点印刷部
６  面取り部
７  直線部
８  鈍角部
９  中心
12  印刷部
13  複写紙
14  白抜き部
φ  直径
Ｌ  間隔
Ｌ６  面取り部の寸法
Ｌ７  直線部の寸法
【図１】
0003177357.tif 000004
【図２】
0003177357.tif 000005
【図３】
0003177357.tif 000006
【図４】
0003177357.tif 000007
【図５】
0003177357.tif 000008
【図６】
0003177357.tif 000009
【図７】
0003177357.tif 000010
【図８】
0003177357.tif 000011
【図９】
0003177357.tif 000012
【手続補正書】
【提出日】平成24年5月30日(2012.5.30)
【手続補正１】
【補正対象書類名】実用新案登録請求の範囲
【補正対象項目名】請求項２
【補正方法】変更
【補正の内容】
【請求項２】
前記微細構成素子印刷部が四つの角部を切り欠いた形状であることを特徴とする請求項１記載の複写防止模様を有する印刷物。
【手続補正２】
【補正対象書類名】実用新案登録請求の範囲
【補正対象項目名】請求項３
【補正方法】変更
【補正の内容】
【請求項３】
前記微細構成素子印刷部が、４５度の面取りにより前記角部を切り欠いた面取り部と、隣り合う面取り部との間を連結する直線部と、前記面取り部と前記直線部との間に設けた鈍角部とを備えることを特徴とする請求項１又は２記載の複写防止模様を有する印刷物。